(57)【要約】      （修正有）【課題】設置および取り外しが容易であり、しかも風に対する対策が十分である雪下ろし装置を提供する。【解決手段】屋根の棟の両側に連結材で連結してまたぐようにして懸垂材を配置し、その懸垂材に略額縁状の上側材と下側材を有するフレームを連結して略屋根全面を覆うようにし、このフレームの上側材と下側材の間に２枚の膜材の周囲を挟んで袋体を構成し、この袋体に空気注入口を設け、この空気注入口に周囲に空気噴出孔を有する空気放出管を取り付けて袋体内に配置し、空気放出管から袋体内に空気を送り込むことにより空気噴出孔より空気を噴出して袋体を膨らませることによって雪の付着力を消失させて袋体上の積雪を滑落させる。【選択図】図１
2014020063.tif 000002
【特許請求の範囲】
【請求項１】
屋根の棟の両側に連結材で連結してまたぐようにして懸垂材を配置し、その懸垂材に略額縁状の上側材と下側材を有するフレームを連結して略屋根全面を覆うようにし、このフレームの上側材と下側材の間に２枚の膜材の周囲を挟んで袋体を構成し、この袋体に空気注入口を設け、この空気注入口に周囲に空気噴出孔を有する空気放出管を取り付けて前記袋体内に配置し、上記空気放出管から袋体内に空気を送り込むことにより空気噴出孔より空気を噴出して袋体を膨らませることによって雪の付着力を消失させて袋体上の積雪を滑落させるようにしたことを特徴とする雪下ろし装置。
【請求項２】
請求項１において、フレームを複数連続的に配置して屋根全面を覆ったことを特徴とする雪下ろし装置。
【発明の詳細な説明】
【技術分野】
【０００１】
本発明は、屋根の積雪を除去する雪下ろし装置に関する。
【背景技術】
【０００２】
屋根の積雪を自動で下ろす装置には、熱を利用して積雪した雪を溶かして流す方法と、屋根にシート（膜材）を設置し、そのシートを利用して積雪した雪を滑落させる方法が考えられている。
【０００３】
本発明は、後者の方法に関する技術である。シートを利用して積雪を除去する方法としては、屋根を覆うシートに気密性のある袋体を設け、この袋体内に空気を注入することにより袋体を膨張させてシート上の積雪を滑落させる技術がある（例えば、特許文献１参照、特許文献２参照）。
【先行技術文献】
【特許文献】
【０００４】
【特許文献１】特開２００６−３１２８５７号公報
【特許文献２】特開平１０−１２１６７１号公報
【発明の概要】
【発明が解決しようとする課題】
【０００５】
上記のような従来用いられているシートは、一般にシートを袋体等にする加工が施されているもので、屋根を覆う大型のシートにそのような加工を施すことは作製作業が難しいという問題があり、また、屋根への設置および取り外しが容易でない構造になるという問題がある。さらに、非設置時の収納場所が確保されない等の問題もあり、それらが実用化を阻む原因になっている。
【０００６】
また、屋根に配置されたシートは、積雪がない時には側端部が風を受けてあおられて捲れ上がったりはぎ飛ばされたり、さらには、ぱたぱたと騒音を発生して騒音公害を引き起こすという問題がある。
【０００７】
本発明は、このような問題を解決したシートによる雪下ろし装置を得ることを課題とする。
【課題を解決するための手段】
【０００８】
そこで本発明は、屋根の棟の両側に連結材で連結してまたぐようにして懸垂材を配置し、その懸垂材に略額縁状の上側材と下側材を有するフレームを連結して略屋根全面を覆うようにし、このフレームの上側材と下側材の間に２枚の膜材の周囲を挟んで袋体を構成し、この袋体に空気注入口を設け、この空気注入口に周囲に空気噴出孔を有する空気放出管を取り付けて前記袋体内に配置し、上記空気放出管から袋体内に空気を送り込むことにより空気噴出孔より空気を噴出して袋体を膨らませることによって袋体上の積雪を滑落させるようにする。
【０００９】
なお、積雪量はセンサーで検出し、所定の積雪量になったときに、空気排出管に圧縮空気を供給して袋体を膨らますようにしてある。これによって、所定の積雪量を検出すると自動的に随時積雪を滑落させることになる。
【発明の効果】
【００１０】
このようにした本発明は、屋根に降った所定量の積雪を随時に滑落させることができるために積雪による屋根への負担を確実に解消することができると共に雪下ろしのための人手を必要とせず、しかも死傷の主原因である屋根からの落下事故をなくすことができる。
【００１１】
また、屋根への装置の設置・取り外しが容易であると共に設置後の風による袋体への各種の障害が少ないという効果がある。
【図面の簡単な説明】
【００１２】
【図１】実施例を示す説明図
【図２】フレームを配置した状態の説明図
【図３】棟部に懸垂材を設置した状態の説明図
【図４】懸垂材にフレームを取り付ける状態の説明図
【図５】同側面説明図
【図６】膜材の周囲をフレームでとじた状態の断面説明図
【図７】膜材を膨らます説明図
【図８】落雪状態を示す説明図
【発明を実施するための形態】
【００１３】
以下、図面を参照して本発明の実施例を説明する。
【実施例１】
【００１４】
以下に図面を用いて実施例を説明する。
【００１５】
図１は装置の設置状態を示す説明図、図２はフレームを配置した状態の説明図、図３は棟部に懸垂材を設置した状態を示す側面図である。
【００１６】
図において、１は懸垂材であり、図３に示す如く、屋根の棟２の左右(前後)にまたぐようにして連結具３により連結して設ける。この懸垂材１は、棟２の長手方向の略全長にわたって設けてあり、金属製や合成樹脂製である。
【００１７】
この懸垂材１は、棟２に対して全長にわたって一体のものがよいが、金属製で重量があるような場合や、長尺で取り扱いにくい場合等には適宜の長さのものを連結した構造とする。本実施例ではこの連結した構造のものを示す。
【００１８】
上記の如く、左右の懸垂材１は、連結具３で連結固定されるが、屋根の形状が左右対象でない場合や片流れの場合には、左右での荷重に対するバランスがとれるように棟２に確実に固定する。
【００１９】
さらに、図４、図５に示す如く、懸垂材１には、額縁状の上側材６Ａと下側材６Ｂを有するフレーム６の下側材６Ｂを取り付ける係止部４が適宜間隔に形成されている。このフレーム６は、屋根の棟２から軒先までの長さであり、その幅は、屋根幅と略同等の寸法である。なお、一般には屋根幅は長尺であるために、フレーム６の幅は、取り扱い易い幅にし、屋根の幅方向に複数連続して並べて設置するようにする。本実施例もこの複数連続した状態を示す。
【００２０】
５は膜材で構成した袋体であり、上下二枚の膜材５Ａ、５Ｂにより構成されている。膜材５Ａ、５Ｂは合成樹脂フィルムや合成樹脂をコーティング等した気密性を保持できる気密性膜材であり、少なくとも上側の膜材５Ａは、伸び特性を持つ材料を使用し、伸びの少ない材料の場合には折り込みやたるみを持たせて膨らむことができるようにしてある。なお、膜材５Ａは上記の材質として表面が滑りやすい材質のものやそのような表面加工を施したものを用いるとよく、また、膜材５Ａ、５Ｂは、耐久性や強度を要求する場合には繊維等を補強したものを用いてもよい。
【００２１】
このような膜材５Ａ、５Ｂの周囲を、図６に示す如く、フレーム６の上側材６Ａと下側材６Ｂとで挟むようにして固着して周囲の気密性を保持して袋体５を構成する。この固着状体は、ゴム製のパッキング等を使用して気密性を保持するようにするとよい。
【００２２】
また、膜材５Ａをフレーム６に上側材６の上にはみ出させておくことにより、その上に積もった雪の重量により袋体を膨らます時の浮上を防止することができる。
【００２３】
このようにした袋体５には空気注入口７が設けてあり、コンプレッサーや送風機８に連結した送風ホース９に連結できるようになっている。
【００２４】
この空気注入口７には、袋体５内に伸ばしてある空気放出管１０が取り付けてある。この空気放出管１０は、鋼管や合成樹脂管であって、先端は封止されており、その長さは先端の位置が屋根の中間から軒先までの間の所望の個所までの長さである。また、その全長にわたって間隔をあけて空気噴出孔１１が形成してあり、袋体５を膨らますために空気を噴出するためのものである。
【００２５】
この空気噴出孔１１の形成間隔は、全長わたって均等でもよいが、空気排出量調整のため、上部から下部に向かって間隔が広くなるように形成しておくとよい。また、このような孔の間隔による空気排出量調整ではなく、孔径によって調整してもよい。例えば、上部の孔の径を大きくして、下部に向けて徐々に径を小さくするようにしてもよい。
【００２６】
さらに、図示しないが、積雪量を検出するセンサーが屋根に取り付けてあり、積雪が所定量の高さになったときにセンサーがそれを検知し、検知信号を上記送風機８に送信することで送風機８が稼働して空気を送風するようになっている。
【００２７】
また、上記如く送風機８の稼働が開始した場合に、屋根の雪が落下するゾーンに人等が立ち入ったときにそれを検知するセンサー１２を設けておき、ただちに送風機８の運転を停止すると共に音声や表示灯等によって、滑落する雪に対する注意を喚起させるようにしてある。
【００２８】
つぎに、上記構成の組立工程を説明する。
【００２９】
まず、左右の懸垂材１を連結具３で連結固定し、棟２を挟んで設置する。この際、複数の懸垂材１を棟２の幅方向に連続して配置しておく。このようにした懸垂材１の係止部４に図４、図５に示す如く、フレーム６の下側材６Ｂを係止して固定する。この際、複数のフレーム６を屋根の幅方向に連続して配置しておく。
【００３０】
次に、袋体５の下側の膜材５Ｂの周囲をフレーム６の下側材６Ｂ上に仮置きし、周囲に必要に応じてパッキングを挟むようにして配置し、その上に、空気放出管１０を有する上側の膜材５Ａを重ねて載せる。
【００３１】
さらに、上記膜材５Ａ上にフレーム６の上側材６を配置して、上記下側材６Ｂをボルト等の締結材によって締結して袋体５と全一体にする。これによって、屋根への設置は完了する。そこで、任意の所定の個所に設置した送風機８に連結した送風ホース９を各袋体５の空気注入口７に連結して袋体５内空気を注入できるようにしておく。
【００３２】
このようにして設置された雪下ろし装置は、所定の積雪量になり、それをセンサーが感知すると、送風機８が稼働して送風ホース９を介して空気を各空気放出管１０に送る。これにより、空気は上方の空気噴出孔１１より各袋体５内に順次下方の空気噴出孔１１へと噴出してそれぞれの袋体５を膨らましていく。
【００３３】
各袋体５が膨らむと、その変位部分で上側の膜材５Ａ表面と積雪との界面で剥離が発生し、かつ膨張が進行することにより積雪に亀裂が発生して雪塊が形成される。さらに、袋体のふくらみの進行によってその軒先側の雪塊は滑落することになる。
【００３４】
そこで、空気を排気(吸気)して袋体５の膨らみをなくして元に戻すと袋体５の上方部分の傾斜が大きくなり、かつ雪塊の移動で付着力が消失して、屋根上方の棟側に残った積雪が滑落して屋根上の雪はすべて落下する。なお、１回の送風工程で落下しない場合は、上記の工程を複数回繰り返すことによって滑落させることができる。なお、上記の送気、吸気は、自動切り替えバルブ１３等によって自動的に行われる。
【００３５】
上記の如く積雪を滑落させる際に、積雪量のセンサーの設定値は、積雪量が大量になると強力な空気の噴出圧や送風ホースの強度が要求されること、及び、大量の雪が一度に落下した場合の処理が困難となるため、１５ｃｍ程度とするのが適当である。しかしこの値はこれに限るものではなく、屋根の傾斜、設置場所、堆雪場所および地域によって任意に設定すればよい。
【００３６】
このようにして、積雪量をセンサーの設定によって定め、所定量の積雪を随時に滑落させることができ、積雪による屋根の負担を解消させることができると共に、危険で重労働である屋根の雪おろし作業を解消させることができる。
【００３７】
また、装置の屋根への設置に際して、すべての部材を屋根に直接固定せず、載置状態の取り付けであるために、装置の設置および取り外しが容易であり、事前および事後の特別の作業を必要としない。
【００３８】
さらに、袋体の上下左右は屋根表面に密接しているために設置後の風による袋体の捲れ上がりや騒音の発生等の各種の障害が少ないものである。
【符号の説明】
【００３９】
１    懸垂材
２    棟
３    連結具
４    係止部
５    袋体
５Ａ  膜材
５Ｂ  膜材
６    フレーム
６Ａ  上側材
６Ｂ  下側材
７    空気注入口
８    送風機
９    送風ホース
１０  空気放出管
１１  空気噴出孔
１２  センサー
１３  切り替えバルブ
【図１】
2014020063.tif 000003
【図２】
2014020063.tif 000004
【図３】
2014020063.tif 000005
【図４】
2014020063.tif 000006
【図５】
2014020063.tif 000007
【図６】
2014020063.tif 000008
【図７】
2014020063.tif 000009
【図８】
2014020063.tif 000010